【手続補正書】
【提出日】平成19年12月4日(2007.12.4)
【手続補正１】
【補正対象書類名】明細書
【補正対象項目名】特許請求の範囲
【補正方法】変更
【補正の内容】
【特許請求の範囲】
【請求項１】  導電性支持体、及び該導電性支持体の上に感光層及び保護層をこの順に有する電子写真感光体において、該保護層が、１〜７μｍの厚さを有し、かつ金属粒子または金属酸化物粒子及び硬化性フェノール樹脂を含有し、
該硬化性フェノール樹脂が、アミン化合物を用いて製造されたレゾール型フェノール樹脂であることを特徴とする電子写真感光体。
【請求項２】  前記アミン化合物が、ヘキサメチレンテトラミン、トリメチルアミン、トリエチルアミン及びトリエタノールアミンからなる群より選択される請求項１に記載の電子写真感光体。
【請求項３】  前記保護層が、潤滑性粒子を含有する請求項１または２に記載の電子写真感光体。
【請求項４】  前記潤滑性粒子が、フッ素原子含有樹脂粒子である請求項３に記載の電子写真感光体。
【請求項５】  前記感光層が、電荷発生層上に電荷輸送層を有する請求項１乃至４のいずれかに記載の電子写真感光体。
【請求項６】  前記電荷輸送層が、５〜２４μｍの厚さを有する請求項５に記載の電子写真感光体。
【請求項７】  請求項１〜６のいずれかに記載の電子写真感光体を、該電子写真感光体を帯電させる帯電手段、静電潜像の形成された電子写真感光体をトナーで現像する現像手段、及び電子写真感光体上の転写残りトナーを除去するクリーニング手段からなる群より選ばれた少なくとも一つの手段と共に一体に支持し、電子写真装置本体に着脱自在であることを特徴とするプロセスカートリッジ。
【請求項８】  請求項１〜６のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段、及び電子写真感光体上のトナー画像を転写材に転写する転写手段を備えることを特徴とする電子写真装置。
【手続補正２】
【補正対象書類名】明細書
【補正対象項目名】００１８
【補正方法】変更
【補正の内容】
【００１８】
【課題を解決するための手段】
即ち、本発明は、導電性支持体、及び該導電性支持体の上に感光層及び保護層をこの順に有する電子写真感光体において、該保護層が、１〜７μｍの厚さを有し、かつ金属粒子または金属酸化物粒子及び硬化性フェノール樹脂を含有し、
該硬化性フェノール樹脂が、アミン化合物を用いて製造されたレゾール型フェノール樹脂であることを特徴とする電子写真感光体である。
【手続補正３】
【補正対象書類名】明細書
【補正対象項目名】００３６
【補正方法】変更
【補正の内容】
【００３６】
本発明においては、用いる保護層用の結着剤樹脂として、保護層の抵抗の環境変動が小さく、表面硬度が硬く、耐磨耗性に優れ、更に微粒子の分散性、分散後の安定性の点から硬化型のフェノール樹脂、具体的には、アミン化合物を用いて製造された硬化性のレゾール型フェノール樹脂を用いた。
【手続補正４】
【補正対象書類名】明細書
【補正対象項目名】００４５
【補正方法】変更
【補正の内容】
【００４５】
本発明における保護層が含有する結着樹脂には、熱硬化性のレゾール型のフェノール樹脂を用いる。通常、レゾール型フェノール樹脂は、フェノール類化合物とアルデヒド類化合物をアルカリ触媒下で製造される。用いられる主たるフェノール類としては、フェノール、クレゾール、キシレノール、パラアルキルフェノール、パラフェニルフェノール、レゾルシン及びビスフェノール等が挙げられるが、これらに限定されるものではない。また、アルデヒド類としては、ホルムアルデヒド、パラホルムアルデヒド、フルフラール及びアセトアルデヒド等が挙げられるが、これらに限定されるものではない。
【手続補正５】
【補正対象書類名】明細書
【補正対象項目名】００４６
【補正方法】変更
【補正の内容】
【００４６】
これらのフェノール類とアルデヒド類とをアルカリ触媒下で反応させ、モノメチロールフェノール類、ジメチロールフェノール類、トリメチロールフェノール類のモノマー、及びそれらの混合物、またはそれらをオリゴマー化したもの、及びモノマーとオリゴマーの混合物を作製する。このうち、分子の構造単位の繰り返しが２〜２０程度の比較的大きな分子がオリゴマー、ひとつのものがモノマーである。用いられるアルカリ触媒は、アミン化合物である。アミン化合物としては、ヘキサメチレンテトラミン、トリメチルアミン、トリエチルアミン及びトリエタノールアミン等が挙げられるが、これらに限定されるものではない。本発明においては、高湿の環境下での抵抗の変動、及び溶液の安定性を考慮してアミン化合物を用いる。
【手続補正６】
【補正対象書類名】明細書
【補正対象項目名】００９２
【補正方法】変更
【補正の内容】
【００９２】
（実施例７〜８、参考例１）
実施例３において、レゾール型フェノール樹脂（ＰＬ−４８０４）を、レゾール型フェノール樹脂ＰＬ−４８５２（群栄化学工業（株）製、アミン化合物触媒使用）、ＢＫＳ−３１６（昭和高分子（株）製、アミン化合物触媒使用）及びＰＬ−５２９４（群栄化学工業（株）製、金属系アルカリ触媒使用）に代えた以外は、実施例３と同様にして電子写真感光体を作成し、評価した。結果を表４及び表５に示す。
【手続補正７】
【補正対象書類名】明細書
【補正対象項目名】００９３
【補正方法】変更
【補正の内容】
【００９３】
（参考例２）
実施例３において、レゾール型フェノール樹脂（ＰＬ−４８０４）を、ノボラック型フェノール樹脂（ＣＭＫ−２４００、昭和高分子（株）製）に代え、更に硬化剤としてヘキサメチレンテトラアミンを１．５部を添加した以外は、実施例３と全く同様にして電子写真感光体を作成し、評価した。結果を表４及び表５に示す。
【手続補正８】
【補正対象書類名】明細書
【補正対象項目名】００９８
【補正方法】変更
【補正の内容】
【００９８】
（比較例６）
参考例２において、硬化剤のヘキサメチレンテトラミンを添加せずにノボラック型フェノール樹脂を熱可塑性樹脂として使用した以外は、参考例２と同様にして電子写真感光体を作成し、評価した。結果を表４及び表５に示す。
【手続補正９】
【補正対象書類名】明細書
【補正対象項目名】０１０２
【補正方法】変更
【補正の内容】
【０１０２】
（実施例９）
実施例３において、アルミニウムシリンダーの長さを３５７．５ｍｍに代え、キヤノン（株）製複写機ＧＰ−５５（コロナ帯電器）を用いて評価を行った以外は、実施例３と同様にして電子写真感光体を作成し、評価した。結果を表４及び表５に示す。
【手続補正１０】
【補正対象書類名】明細書
【補正対象項目名】０１０３
【補正方法】変更
【補正の内容】
【０１０３】
（参考例３）
実施例９において、レゾール型フェノール樹脂（ＰＬ−４８０４）をノボラック型フェノール樹脂（ＣＫＭ−２４００、昭和高分子（株）製）に代え、硬化剤としてヘキサメチレンテトラミンを１．５部添加した以外は、実施例９と同様にして電子写真感光体を作成し、評価した。結果を表４及び表５に示す。
【手続補正１１】
【補正対象書類名】明細書
【補正対象項目名】０１０４
【補正方法】変更
【補正の内容】
【０１０４】
（参考例４）
実施例１において、レゾール型フェノール樹脂（ＰＬ−４８０４）をレゾール型フェノール樹脂（商品名：プライオーフェンＪ３２５、アンモニア触媒使用、大日本インキ化学工業（株）製）に代えた以外は、実施例１と同様にして電子写真感光体を作成し、評価した。結果を表４及び表５に示す。
【手続補正１２】
【補正対象書類名】明細書
【補正対象項目名】０１０５
【補正方法】変更
【補正の内容】
【０１０５】
（比較例８）
実施例９において、レゾール型フェノール樹脂を前記構造式（５）で示されるアクリル樹脂に代え、光重合開始剤として２−メチルチオキサントン２部を溶解して保護層用調合液とした。この調合液を用いて、前記電荷輸送層上に浸漬塗布して、膜を形成し、高圧水銀灯にて８００ｍＷ／ｃｍ２の光強度で、６０秒間光硬化を行い、その後１２０℃で２時間熱風乾燥することによって、厚さが３μｍの保護層を形成した以外は、実施例９と同様にして電子写真感光体を作成し、評価した。結果を表４及び表５に示す。
【手続補正１３】
【補正対象書類名】明細書
【補正対象項目名】０１０６
【補正方法】変更
【補正の内容】
【０１０６】
（比較例９）
参考例３において、硬化剤のヘキサメチレンテトラミンを添加しなかった以外は、参考例３と全く同様にして行った。結果を表４及び表５に示す。
【手続補正１４】
【補正対象書類名】明細書
【補正対象項目名】０１０８
【補正方法】変更
【補正の内容】
【０１０８】
【表４】
2002082466.tif 000001
【手続補正１５】
【補正対象書類名】明細書
【補正対象項目名】０１０９
【補正方法】変更
【補正の内容】
【０１０９】
【表５】
2002082466.tif 000002
＊：セル：ベナールセル発生